(57)【要約】【課題】  光路分割部材による光軸のずれが生じるので完全に各測定光学系と観察光学系の光軸を一致させることが難しく、共通の機能である外眼観察機能を共用することが困難であるという問題点がある。【解決手段】  被検眼の第１の眼特性を測定する第１測定光学系と、第２の眼特性を測定する第２測定光学系と、被検眼前眼部を観察する為の観察光学系と、前記第１測定光学系と前記第２測定光学系を順次移動させて、前記観察光学系の光路に挿入する切り換え駆動手段と、前記観察光学系の撮像手段で撮像された被検眼の前眼部像を表示する表示手段と、前記第１測定光学系を挿入した時と、前記第２測定光学系を挿入した時とで、前記表示手段に表示される前眼部像光軸のズレを補正する補正手段を有する。【選択図】  図１
2006055200.tif 000002
【特許請求の範囲】
【請求項１】
被検眼の第１の眼特性を測定する第１測定光学系と、
第２の眼特性を測定する第２測定光学系と、
被検眼前眼部を観察する為の観察光学系と、
前記第１測定光学系と前記第２測定光学系を順次移動させて、前記観察光学系の光路に挿入する切り換え駆動手段と、
前記観察光学系の撮像手段で撮像された被検眼の前眼部像を表示する表示手段と、
前記第１測定光学系を挿入した時と、前記第２測定光学系を挿入した時とで、前記表示手段に表示される前眼部像光軸のズレを補正する補正手段を有することを特徴とする眼科装置。
【請求項２】
前記補正手段は
前記各々の測定光学系を前記観察光学系に挿入した時に観察光学系の光軸に測定光学系の光軸を一致させる為に光軸を偏向する光路偏向部材である第１項記載の眼科装置。
【請求項３】
前記補正手段は
前記各々の測定光学系を前記観察光学系に挿入したときに前記観察光学系を移動せしめて、測定光学系の光軸に一致させる駆動手段であることを特徴とした第１項記載の眼科装置。
【発明の詳細な説明】
【技術分野】
【０００１】
本発明は病院や眼科医院で使用される眼科装置に関するものである。
【背景技術】
【０００２】
病院や眼科医院などでは、患者の基本的な眼情報として眼屈折力や角膜形状測定、および眼圧測定が日常的に行われている。
【０００３】
通常、これらの測定は診察前の検眼として検眼室で行われていて、現状では屈折力測定と角膜形状測定は、所謂オートレフラクト・ケラトメーターと呼ばれる複合機で１台で両機能を測定できているが、屈折力・角膜形状測定と眼圧測定は別の装置を用いるしかない状況である。
【０００４】
このような状況の下では患者は屈折力・角膜形状測定時と眼圧測定時に別々の装置の前に座らなければならないので面倒な検査となり、結果、検眼に時間がかかるという状態となっている。
【０００５】
また、検査者にとっても、最初は屈折力・角膜形状測定の為にオートレフ・ケラトメーターを操作して、次に患者を誘導して眼圧測定装置を操作しなくてはならないという面倒な作業となっている。
【０００６】
さらに、施設の面では少なくとも２台分の設置スペースを設けなければならないというデメリットもある。
【０００７】
このような状況に対して、眼圧測定と角膜形状測定や屈折力測定を１台の装置で行える装置の提案がされている（特許文献１参照）。
【０００８】
この提案ではノズル光軸とは位置の異なる光軸を使用して眼圧測定機能とは別の、たとえば眼屈折力測定光学系を配置して、従来別々であった眼圧測定機能と眼屈折測定機能を一体化した装置が開示されている。
【特許文献１】特開平０７−２９９０３６号公報
【発明の開示】
【発明が解決しようとする課題】
【０００９】
しかしながら、上記従来例では、実際に眼圧測定のノズルの下方に眼屈折力測定の光学系をノズルや気密室の部材に遮られることなくレイアウトすることは困難であり、眼屈折力測定の測定範囲や測定精度に影響が出る可能性が高い。
【００１０】
このような眼圧測定機能とは別個の測定機能に影響を出さずに機能を一体化する手段として眼圧測定機能と屈折力・角膜形状測定機能をそれぞれ別個の筐体に収納しそれらを切り換えて眼圧測定と屈折力測定を行うものが考えられるが、切り替えに際してそれぞれの測定光学系に光束を導く為にダイクロイックミラーなどの光路分割部材を使用しなくてはならず、その光路分割部材による光軸のずれが生じるので完全に各測定光学系と観察光学系の光軸を一致させることが難しく、共通の機能である外眼観察機能を共用することが困難であるという問題点があった。
【課題を解決するための手段】
【００１１】
上記のような課題を解決するために、本出願に係る発明にかかる眼科装置は
１、被検眼の第１の眼特性を測定する第１測定光学系と、第２の眼特性を測定する第２測定光学系と、被検眼前眼部を観察する為の観察光学系、前記第１測定光学系と前記第２測定光学系を順次移動させて、前記観察光学系の光路に挿入する切り換え駆動手段、前記観察光学系の撮像手段で撮像された被検眼の前眼部像を表示する表示手段、前記第１測定光学系を挿入した時と、前記第２測定光学系を挿入した時とで、前記表示手段に表示される前眼部像光軸のズレを補正する補正手段を設けた。
【００１２】
２、前記補正手段は前記各々の測定光学系を前記観察光学系に挿入した時に観察光学系の光軸に測定光学系の光軸を一致させる為に光軸を偏向する光路偏向部材であるようにした。
【００１３】
３、前記補正手段は前記各々の測定光学系を前記観察光学系に挿入したときに前記観察光学系を移動せしめて、測定光学系の光軸に一致させる駆動手段とした。
【発明の効果】
【００１４】
以上、述べてきたように
１、被検眼の第１の眼特性を測定する第１測定光学系と
第２の眼特性を測定する第２測定光学系と、被検眼前眼部を観察する為の観察光学系、前記第１測定光学系と前記第２測定光学系を順次移動させて、前記観察光学系の光路に挿入する切り換え駆動手段、前記観察光学系の撮像手段で撮像された被検眼の前眼部像を表示する表示手段、前記第１測定光学系を挿入した時と、前記第２測定光学系を挿入した時とで、前記表示手段に表示される前眼部像光軸のズレを補正する補正手段を設けたことにより、第1測定光学系から第2測定光学系へ切り替えた時に被検眼の位置の変化がなく、よって再度の位置あわせ動作が必要ないので、続けて第2の測定へとスムーズに移行できるという効果がある。
【００１５】
２、前記補正手段は前記各々の測定光学系を前記観察光学系に挿入した時に観察光学系の光軸に測定光学系の光軸を一致させる為に光軸を偏向する光路偏向部材としたことにより簡単な構造で観察光学系を共用できるという効果がある。
【００１６】
３、前記補正手段は前記各々の測定光学系を前記観察光学系に挿入したときに前記観察光学系を移動せしめて、測定光学系の光軸に一致させる駆動手段としたことにより、第1測定光学系から第2測定光学系へ切り替えた時に被検眼の位置の変化がなく、よって再度の位置あわせ動作が必要ないので、続けて第2の測定へとスムーズに移行できるという効果がある。
【発明を実施するための最良の形態】
【００１７】
図１は、第一の実施例の検眼装置の外観図である。
【００１８】
オペレータが操作する面には測定値や被検眼像等の表示や各標装置の設定を選択する液晶モニタやＣＲＴモニタ等の表示装置１と、その表示画面を操作したり、上部の測定部２を被検眼に対して位置合わせするためのトラックボール３、ローラ４、プリンタ印字スイッチや測定開始スイッチや測定モード選択スイッチ等が配置されたスイッチパネル５が配置されている。
【００１９】
また、装置の側面には測定結果などを印字出力する為のプリンタ６が配置されている。
【００２０】
被検者はオペレータが操作する側と反対側にある顔受け部100で顔を固定して、測定部２の対物部の前に被検眼を置くことで測定が可能となる。
【００２１】
図２は図１のスイッチパネルの説明図である。
【００２２】
スイッチ501は操作者がアライメント作業を完了してから、後述する眼圧測定や眼屈折力測定を開始する為の測定開始スイッチである。
【００２３】
スイッチ502は測定の種類を選択する測定モード選択スイッチであり、本実施例では操作者が測定を開始する前に眼圧測定か眼屈折力測定かを選択する為のスイッチである。
【００２４】
操作者はこのスイッチ502を押すごとに表示装置１に表示される測定の種類を見ながら、測定の種類を選択することができる。
【００２５】
スイッチ503は本実施例の眼科装置の様々な条件・状態を設定する為の設定スイッチである。
【００２６】
（設定の内容は本発明と直接関係無いので、詳細な説明は省略する）
スイッチ504は測定を終了した後、測定の結果をプリンタ６で印字出力する為のプリントスイッチである。
【００２７】
スイッチ505aは被検者の顔の大きさに合せて顔受け部100に設けられた顎受け台（不図示）を電動で上方に移動させる為のスイッチであり、505bは顎受け台を下方に移動させる為のスイッチである。
【００２８】
図３は本装置の測定部２を被検眼Ｅにアライメントするための駆動部を示している。
【００２９】
測定部２は上下方向に移動させるための上下駆動部７と接合されており、測定部２を約３０ｍｍ上下方向に移動できるようになっている。測定部２は上下支柱８に支えられており、直動型のボールベアリングと昇降用の送りねじが内蔵された上下駆動支柱９に接合され、その上下駆動支柱９は上下駆動基台１０に固定されている。測定部２の上下支柱８の中心軸回りの回転規制のため、回り止め支柱１１が測定部２から下方に突起されており、上下駆動基台１０に固定され直動軸受け１２に嵌合されている。
【００３０】
上下駆動支柱９と直動軸受け１２の間には、上下方向駆動用のモータ１３が配置されており、上下駆動基台１０の裏面にベルトを介して、上下駆動支柱９の送りねじを回転できるようになっており、モータ１３の正逆回転によって測定部２を昇降させることができる。図示は省略しているが、上下方向３０ｍｍのストロークの両端は、リミットスイッチの検知で移動限界位置が検知できるようになっている。また、モータ１３の軸上には、パルスカウントができるエンコーダが同軸状に配置され、上下駆動基台１０の裏面にはそれを検知するフォトカプラが設けられている。
【００３１】
上下駆動基台１０は前後駆動部１４によって駆動される上下駆動基台１０の裏面には雌ねじナット１５が固定され、その雌ねじ部には前後駆動基台１６に支持されている送りねじ１７と螺合されている。送りねじは前後モータ１８とカップリングを介して結合されている。また、上下駆動基台１０の左右両側面には、直動ガイドレール１９ａ、１９ｂが配置され、可動側が上下駆動基台１０に固定側が前後駆動基台１６に接合されている。
【００３２】
従って、前後モータ１８の正逆駆動によって、上下駆動部７を合む測定部２を前後方向に移動させることができる。前後方向４０ｍｍのストロークの両端は、図示を省略しているが、上下駆動部と同様にリミットスイッチの検知により移動限界位置を検知できるようになっている。また、前後モータ１８の軸上には、パルスカウントができるエンコーダが同軸状に配置され、前後駆動基台１６の上面には、それを検知するフォトカプラが配置されている。
【００３３】
前後駆動基台１６を左右方向に駆動させる左右駆動部２０は、前後駆動部１４と同様に前後駆動基台１４の裏面には図示していないが雌ねじナットが固定され、その雌ねじ部には左右駆動基台２１に支持されている送りねじ２２と螺合されている。送りねじは左右モータ２３とベルト２４を介して結合されている。また、前後駆動基台１４の前後両側面には、直動ガイドレール２５ａ、２５ｂが配置され、可動側が前後駆動基台１４に固定側が左右駆動基台２１に接合されている。
【００３４】
従って、左右モータ２３の正逆回転駆動によって、上下駆動部７及び前後駆動部１４を含む測定部２を左右方向に移動させることができる。図示していないが、前後駆動部１４と同様に左右方向９０ｍｍのストロークの両端は、リミットスイッチの検知で移動限界位置が検知できるようになっている。また、左右モータ２３の軸上には、パルスカウントができるエンコーダが同軸状に配置され、左右駆動基台２１の上面には、それを検知するフォトカプラが配置されている。
【００３５】
このようにして、測定部２は上下駆動部７、前後駆動部１４、左右駆動部２０によって、被検眼Ｅに対して三次元方向に移動でき、子供から大人までの被検者を顔受け部に顔を載せただけで、電動駆動により位置合わせすることができる。
【００３６】
図４は本実施例の測定部２の構成を示す平面図である。
【００３７】
測定部２内には、被検眼Ｅの眼屈折力を測定する時に使用される眼屈折力測定光学系３０と被検眼Ｅの眼圧を測定する時に使用される眼圧測定光学系41、及び眼屈折力測定時と眼圧測定時に共通して使用される被検眼Ｅの外眼観察光学系９０、眼屈折力測定時に被検眼に提示する固視目標投影の為の光学系９１、眼圧測定時に被検眼が注視する固視目標を提示する為の光学系９２から成る。
【００３８】
このうち、眼屈折力測定光学系30と眼圧測定光学系41は後述するスライドベース８０に搭載されていてスライドベース８０の駆動機構により矢印の方向、被検眼に対して左右方向に移動可能な構造となっている。
【００３９】
外眼観察光学系９０、固視目標を投影する為の光学系９１，９２は後述の測定部基板８１上に設置されている。
【００４０】
（１）眼屈折力測定光学系３０の構成と作用と説明する。
【００４１】
眼屈折力測定光学系30の中心軸ＯR上には、屈折力測定光束を反射するダイクロイックミラー31、対物レンズ３２、孔あきミラー３３、絞り３４、投影レンズ３５、８８０ｎｍの測定光束を出射する測定光源３６が順次に配列されている。孔あきミラー３３の反射方向には、６分割絞り３７、６分割プリズム３８、受光レンズ３９、二次元撮像素子４０が順次に配置されている。
【００４２】
測定光源３６から発せられた光束は、投影レンズ３５により対物レンズ３２の手前で１次結像するようにされ、対物レンズ３２、ダイクロイックミラー３１で反射され、被検眼Ｅの瞳中心に投光される。その光束は眼底で結像され、その反射光は瞳周辺を通って再びダイクロイックミラー３１を介して対物レンズ３２に入射される。入射された光束は対物レンズ32を透過後、孔あきミラー３３の周辺部で反射される。
【００４３】
反射された光束は被検眼瞳孔と略共役な６分割絞り３７で瞳分離され、６分割プリズム３８で二次元撮像素子４０の受光面に６点のスポット像として投影される。被検眼Ｅが正視眼であれば、この６点のスポット像の重心を結ぶ近似曲線は所定の円になり、近視眼や遠視眼では近似曲線の円の曲率が大きくなったり小さくなったりする。乱視がある場合は近似曲線は楕円になり、水平軸と楕円の長軸でなす角度が乱視軸角度となる。この楕円の近似曲線の係数より屈折値を求める。
【００４４】
（２）眼圧測定光学系４１の構成と作用を説明する。
【００４５】
眼圧測定光学系４１の中心軸ＯＴ上には、透光ガラス４３、４４で支持されたノズル４２、眼圧測定用の光束を反射するダイクロイックミラー４５、対物レンズ４６、ハーフミラー４７、レンズ４８、眼圧測定用光源４９が順次に配置されている。また、ハーフミラー４７の反射方向にはレンズ５０、絞り５１、眼圧測定用フォトセンサ５２が順次に配置されている。
【００４６】
眼圧測定用光学系４１の上部（紙面手前）には図５に示すようにロータリーソレノイド、ピストン、シリンダからなる気流吹き付け装置が設置されている。
図５において、ロータリーソレノイド７１の出力アーム７１aには、連結棒７２を介してピストン７３がピンで連結されている。
【００４７】
ピストン７３はシリンダ７４内を往復運動してシリンダ内の空気を圧縮して、圧縮された空気がチャンバ７５を介して気密室７６に送り込まれる構造になっている。
【００４８】
被検眼Ｅと眼圧測定光学系の中心軸ＯＴの位置合せが完了した後、ロータリーソレノイド７１を駆動してピストン７３をシリンダ７４内の矢印の方向に駆動し、気密室７６内の空気を圧縮する。
【００４９】
圧縮された空気がノズル４２を経て、被検眼Ｅに気流を吹き付けて角膜を変形させる。
【００５０】
そのとき、眼圧測定用光源４９が点灯して、その光束はレンズ４８、ハーフミラー４７、対物レンズ４６を透過して、ダイクロイックミラー４５で反射されて被検眼Ｅの角膜に照射される。
【００５１】
吹き付けられた気流により被検眼Ｅの角膜が所定の曲率半径または平面に変形したときに眼測定用の測定光束の被検眼Ｅによる角膜反射光束は、中心軸ＯＴ方向に反射して戻り、ダイクロイックミラー４５で反射されレンズ４６を透過して、ハーフミラー４７で反射される。
【００５２】
ハーフミラー４７で反射された光束は  レンズ５０、絞り５１を経由して眼圧測定用フォトセンサ５２で検出される。
【００５３】
その時の気密室76の内圧を気密室内に設置された内圧センサ７７で検出し、検出された内圧から被検眼Ｅの眼圧を算出する。
【００５４】
（３）次に上記の眼屈折力測定光学系３０と眼圧測定光学系４１に共通して使用される外眼観察光学系９０についての説明を行う。
【００５５】
図４では被検眼Eの眼屈折力測定を行う為に、後述するスライドベース80を駆動して、眼屈折力測定光学系３０が被検眼Eと外眼観察の為の光学系の光軸OBとの間に設定された状態を表している。
【００５６】
外眼部照明光源93で照明された被検眼Ｅの外眼部像の光束はダイクロイックミラー３１を透過し、実線で示された位置にある平行平面板６１aを透過し、レンズ６９を透過して撮像素子７０に外眼部像として結像する。
【００５７】
撮像素子７０に写った被検眼Ｅの外眼部像は表示装置１に表示され、操作者は表示された外眼部像を見ながら、トラックボール３とローラー４を使用して装置と被検眼との位置合せを行い測定を行う。
【００５８】
眼屈折測定光学系の中心軸ＯＲはダイクロイックミラー３１が中心軸ＯＲに対して斜設されているので、ダイクロイックミラー３１を透過後、図の光軸ＯＲ‘のように平行偏芯が起こっている。
【００５９】
本実施例の平行平面板６１aはダイクロイックミラー３１に対して同じガラス材料、同じ厚さで製作されていて、光軸ORに対して対称な傾きに斜設されているので平行偏芯した光軸OR‘が平行平面板６１aを透過すると先程とは逆の方向に同じ距離だけ平行偏芯を起こし、結果として撮像素子７０に入射する光束の光軸OBは光軸ORと一致した光軸となるように作用する。
【００６０】
この平行平面板６１はその中心に不図示のモーター７９の出力軸が結合されていて円弧矢印で示すように中心軸回りに回転可能になっている。
【００６１】
このモーター軸の回転により、もう一方の測定機能である眼圧測定時には、眼圧測定光学系41が外眼観察光学系90の光路に移動されるのと同時に、平行平面板６１は６１ｂの状態に配置される構造となっている。
【００６２】
このモーター軸の回転駆動の作用により、上述したように眼屈折力測定光学系３０が外眼観察光学系９０の光路に入った場合のダイクロイックミラー３１による光軸のずれ（ＯＲとＯＲ‘の差）や、同様に眼圧測定光学系４１が外眼観察光学系９０の光路に入った場合のダイクロイックミラー４５による光軸のずれ（ＯＲ’とは逆の方向にＯＲ‘と等しい距離だけずれる）を補正し、両測定光学系を切り換えて外眼観察光学系９０の光路に挿入しても、撮像素子70に投影される光軸ＯＲ或いはＯＴの位置が撮像素子７０上で変化することがなくなり、外眼観察光学系を共用できるようになっている。
【００６３】
操作者が被検眼Ｅの位置合せを行う際に見る表示装置１には撮像素子７０からの信号がビデオ信号として送信され、撮像素子７０に投影された像がそのまま表示装置１に描出されるので、眼屈折力測定から眼圧測定に切り換えても、或いは眼圧測定から眼屈折力測定に切り換えても表示装置１では被検眼Ｅの位置が変わらず表示されつづけるので、操作者に対して違和感がない操作性を提供することができる。
【００６４】
（４）眼屈折力測定時の固視目標の光学系９１の構成と作用について説明する。
【００６５】
平行平面板６１aの反射方向にはレンズ６２、移動レンズ６３、固視目標６４、固視目標を裏面から照明する光源６５が配置されていて、光源６５によって照明された固視目標６４の光束は移動レンズ６３、レンズ６２を介して平行平面板６１aで反射され、光軸OR'、ORを辿り、被検眼Eに投影される。眼屈折力測定の過程において、被検眼の調節力の緩和・除去の為に、よく知られているように本装置は移動レンズ６３を光軸方向に移動させて霧雲動作を行う構成になっている。
【００６６】
（５）眼圧測定時の固視目標の光学系９２の構成と作用について説明する。
上述（下線部）したように、眼圧測定時には眼圧測定光学系４１が外眼観察光学系９０の光路に挿入されて平行平面板６１が６１ｂの位置に回転移動される。
【００６７】
この状態の平行平面板６１ｂの反射方向にはレンズ６６、絞り６７、光源６８が配置されており、眼圧測定の時に光源６８が点灯、その光束が絞り６７、レンズ６６を経て、平行平面板６１ｂで反射され、ダイクロイックミラー４５、ノズル４２の内径を経て被検眼Ｅに固視目標として提示される構成となっている。
【００６８】
上述した眼屈折力測定光学系３０と眼圧測定光学系４１は図６に示すスライドベース８０上に設置されていて、後述するモーター８２の駆動力により左右に移動する構造になっているので眼屈折力測定を行う場合と眼圧測定を行う場合とで被検眼Ｅの光軸と合致するように切り替えて測定動作を行うようになっている。
【００６９】
スライドベース８０の構造を図６を用いて、以下に説明する。
【００７０】
図３で説明した測定部２全体を上下させる上下支柱８の上面には測定部基板８１が固定されている。
【００７１】
測定部基板８１にはモーター８２及びその出力軸に接合された送りねじ８３が回転可能に取り付けられている。
【００７２】
送りねじ８３はスライドベース８０の下面に固定された送りねじナット８４と噛合しているので、モーター８２の回転駆動により、スライドベース８０が左右に移動する構造となっている。
【００７３】
尚、説明を分かりやすくする為に、図３で説明した直動ガイドレール２５ａ、２５ｂのような直動機構は不図示としている。
【００７４】
スライドベース８０の下面には突起部８０ａ、８０bが設けられていて、モーター８２の回転駆動によりスライドベース８０が右端又は左端まで移動したときに、測定部基板８１の側面に固定されたマイクロスイッチ８５或いは８６を押釦してスライドベース８０が駆動距離の右端又は左端に達したことを検知できるようになっている。
【００７５】
スライドベース８０が右端に移動してマイクロスイッチ８６を押釦した時、モーター８２は停止してスライドベース８０は右端位置で停止する。この右端位置では眼屈折力測定光学系３０が観察光学系OBの光路に挿入された位置、即ち図４に表した状態となっている。
【００７６】
スライドベース８０が左端に移動してマイクロスイッチ８５を押釦した時、モーター８２は停止してスライドベース８０は左端で停止する。この左端位置では眼圧測定光学系４１が観察光学系OBの光路に挿入されて位置になっている。
【００７７】
マイクロスイッチ85、86からの信号によるモーター82の正逆回転駆動、即ち眼屈折力測定光学系３０と眼圧測定光学系４１の外眼観察光学系９０への挿入切り替え操作と、モーター７９（不図示）の駆動による平行平面板６１の６１ａ或いは６１ｂの状態への切り替え動作は、測定モード選択スイッチ502の押釦操作と連動して行われる。
【００７８】
以上に述べたような本実施例の眼科装置（眼屈折力測定機能と眼圧測定機能の複合装置）の構成で装置の動作について、図７に示すフローチャートを用いて説明を行う。
【００７９】
操作者が装置の電源をＯＮにして（ステップ１）、装置を立ち上げると装置は各種のデバイス（モーター、センサーなど）の初期化チェックを行い、チェックの結果がＯＫならば最初に眼屈折力を測定するモードに移行する。
【００８０】
このモードではモーター82を駆動して眼屈折力測定光学系３０を外眼観察光学系９０の光路に挿入を行い（ステップ2）、次の操作者のスイッチ操作を待つ状態になる。（ステップ3〜12）
操作者がモード選択スイッチ502を押して眼圧測定モードを選択すると、このモードでは眼圧測定光学系４１を外眼観察光学系９０の光路に挿入するべくモーター82の駆動を行う。（ステップ４）。このとき、マイクロスイッチ85のＯＮ状態を監視し（ステップ５）、マイクロスイッチがＯＮになるまでモーター82を駆動しつづけ、マイクロスイッチ85がＯＮに成った時にモーター82を停止する（ステップ6）。次に不図示のモーター79を駆動して平行平面板61の回転駆動を行い（ステップ7）、61ｂの位置に平行平面板61がセットされるまで回転動作を行う（ステップ8）。以上のようにモード選択スイッチ502の押釦操作により測定モードの切り替えを行った後、操作者による次のスイッチ操作を待機する状態に戻る。
【００８１】
このとき、更にモード選択スイッチ502が押釦されると、今度は眼屈折力測定光学系30が外眼観察光学系９０の光路に挿入され、平行平面板61が61aの位置になるようにステップ4からすステップ8の手順を踏んで、もーたー82,79の駆動を行う。
【００８２】
次に操作者が測定スイッチ501を押釦して（ステップ9）、測定動作を開始すると眼屈折力測定又は、眼圧測定のいずれかの選択した測定モードによる測定を行う。（ステップ10）
更に、設定スイッチ503、プリントスイッチ504など図２に示した他のスイッチ類を操作すると該当スイッチの機能の動作を行うルーチンに遷移するようになっている。（ステップ11,12）
以上に述べた実施例では、眼屈折力測定光学系３０と眼圧測定光学系４１の外眼観察光路９０への切り替えに伴う光軸のズレ（ORとOR'との差）を平行平面板６１の駆動操作による６１aと61bという状態切り替えでズレの補正を行ったが、平行平面板61を使用しないで、外眼観察に関する光学系（レンズ69と撮像素子70の光学系）の光軸OBをOR‘或いはOR''（OR’と同じように、眼圧測定光学系４１を光路に挿入した際のダイクロイックミラー45による光軸ズレ位置）に一致するように光軸に垂直な方向に所定距離動かす機構を設けても構わない。
【００８３】
本実施例では説明の簡単化のために、外眼観察光学系９０は被検眼Eを撮像する為だけの構成で本発明の効果を説明してきたが、特開2001-309888に開示されるような楔形プリズムのユニットを外眼観察光学系の光路内に配置（本実施例ではレンズ59の被検眼側の所定位置に配置が可能）して、装置自体が被検眼Eの光軸と測定光軸OR又はOTとの位置合せを行う構造も可能であり、その場合は更に本発明を適用することにより、観察光学系の光学的性能（観察範囲や光学的なケラレのない光学系の実現）を劣化させることなく各測定時のオートアライメントが可能になるという効果が得られる。
【００８４】
また、本実施例の説明では、説明の簡単の為に、複合される測定機能を眼圧測定機能と眼屈折測定機能に限定したが、眼屈折測定光学系３０の被検眼照明用LED93の代わりにリング光源を設け、外眼観察光学系９０の適切な位置にテレセントリック様の絞りを配置することにより角膜形状測定機能を付加することは容易にできるので、眼圧・眼屈折・角膜形状の３つの測定機能を有する眼科装置に本発明を適用することも可能である。
【００８５】
当然、これらの組合せにだけでなく本発明の適用は２以上の測定光学系の切り替えによって実現される複合型の測定装置に適用可能である。
【図面の簡単な説明】
【００８６】
【図１】本発明の実施例に係る眼科装置の外観図である。
【図２】本発明の実施例に係る眼科装置の操作パネルの説明図である。
【図３】測定部２の駆動機構の説明図である。
【図４】測定部2の構成の説明図である。
【図５】眼圧測定用の気流吹きつけ機構の説明図である。
【図６】スライドベース80の動作を説明する図である。
【図７】動作を説明するフローチャートである。
【符号の説明】
【００８７】
30  眼屈折力測定光学系
31  眼屈折力測定光学系のダイクロイックミラー
41  眼圧測定光学系
45  眼圧測定光学系のダイクロイックミラー
61  平行平面板
80  スライドベース
82  モーター
【図１】
2006055200.tif 000003
【図２】
2006055200.tif 000004
【図３】
2006055200.tif 000005
【図４】
2006055200.tif 000006
【図５】
2006055200.tif 000007
【図６】
2006055200.tif 000008
【図７】
2006055200.tif 000009